(57)【要約】【課題】屋外環境下で設置されるパッケージ型空気圧縮機において、屋外キャビネットに籠る熱を効率的に外部に発散できるようにする。【解決手段】排気ファン２７によって外気取入れ口２１，２２，２３から屋外キャビネット１００内に外気を取り入れ、その取り入れた外気はパッケージ型空気圧縮機１０の周囲を流れて排気口２４、排気煙突２５から外部に排気される。一方、パッケージ型空気圧縮機１０に内蔵する換気扇７によって外気取入れ口３０から外気を取り込み、さらに、筐体２のパッケージ空気取入れ口６から一旦筐体２を通過させて圧縮機３の周囲に流れる空気を排気口３１、排気煙突３２から外部に排気する。【選択図】図１
2015121137.tif 000002
【特許請求の範囲】
【請求項１】
筐体内に圧縮機を備えたパッケージ型空気圧縮機を屋外キャビネット内に収容した屋外設置型空気圧縮機システムに用いる屋外キャビネットであって、
前記屋外キャビネットは、前記パッケージ型空気圧縮機を収容する空間を備え、当該キャビネット内に外気を取り込むためのキャビネット外気取入れ口を備え、さらに夫々が独立した２つの排気経路を備えており、その一方の排気経路には排気手段を備えず他方の排気経路には強制排気手段を備えていることを特徴としたパッケージ型空気圧縮機を屋外に設置するための屋外キャビネット。
【請求項２】
前記排気手段を備えない一方の排気経路に、補助排気手段を備えたことを特徴とした請求項１記載のパッケージ型空気圧縮機を屋外に設置するための屋外キャビネット。
【請求項３】
前記キャビネット外気取入れ口には、外気の流入は許容し雨水の侵入を阻止する雨戸手段を備えたことを特徴とした請求項１又は２記載のパッケージ型空気圧縮機を屋外に設置するための屋外キャビネット。
【請求項４】
前記夫々が独立した２つの排気経路は、２つの独立した排気煙突であることを特徴とした請求項１乃至３の内の一つの請求項に記載のパッケージ型空気圧縮機を屋外に設置するための屋外キャビネット。
【請求項５】
前記夫々が独立した２つの排気経路は、内部に隔壁を設けた１つの排気煙突であり、前記隔壁を境にして独立した２つの排気路が形成されていることを特徴とした請求項１乃至３の内の一つの請求項に記載のパッケージ型空気圧縮機を屋外に設置するための屋外キャビネット。
【請求項６】
前記夫々が独立した２つの排気経路には、雨水の侵入を防止するための傘部を備えたことを特徴とした請求項４又は５記載のパッケージ型空気圧縮機を屋外に設置するための屋外キャビネット。
【請求項７】
筐体内に圧縮機を備えたパッケージ型空気圧縮機を屋外キャビネット内に収容した屋外設置型空気圧縮機システムであって、
前記パッケージ型空気圧縮機は、前記屋外キャビネットの天井面及び各壁面から所定距離隔てて設置されており、さらに、当該パッケージ型空気圧縮機内の圧縮機によって圧縮する空気及び当該圧縮機の周囲を流れる空気を当該パッケージ内に取り込むためのパッケージ空気取入れ口を備えており、
前記屋外キャビネットには、当該キャビネット内に外気を取り込むためのキャビネット外気取入れ口を備え、さらに夫々が独立した２つの排気経路を備えており、その一方の排気経路（第１の排気経路）には排気手段を備えず他方の排気経路には強制排気手段を備えておき、前記パッケージ型空気圧縮機内の圧縮機本体の周囲を流れる空気の排気路は排気手段を備えていない前記一方の排気経路（第１の排気経路）に接続され、前記パッケージ型空気圧縮機の周囲を流れる空気の排気路は前記強制排気手段を備えた前記他方の排気経路に接続されたことを特徴としたパッケージ型空気圧縮機を屋外キャビネット内に収容した屋外設置型空気圧縮機システム。
【請求項８】
前記排気手段を備えない一方の排気経路（第１の排気経路）に、補助排気手段を備えたことを特徴とした請求項７記載のパッケージ型空気圧縮機を屋外キャビネット内に収容した屋外設置型空気圧縮機システム。
【請求項９】
前記屋外キャビネット内に外気を取り込むためのキャビネット外気取入れ口は複数設けられており、当該屋外キャビネットの複数の壁面に形成されており、
パッケージ型空気圧縮機内に空気を取り込むための前記パッケージ空気取入れ口に面した前記キャビネット外気取入れ口の開口面積をａｃｍ２とし、当該パッケージ空気取入れ口に面していない前記キャビネット外気取入れ口の開口面積をｂｃｍ２とすると、ａとｂの関係が、ａ＜ｂの関係となるように前記複数のキャビネット外気取入れ口の開口面積を決めたことを特徴とした請求項７又は８記載のパッケージ型空気圧縮機を屋外キャビネット内に収容した屋外設置型空気圧縮機システム。
【請求項１０】
前記ａ及びｂの比が、０．２５≦ａ／ｂ≦０．４であることを特徴とした請求項９記載のパッケージ型空気圧縮機を屋外キャビネット内に収容した屋外設置型空気圧縮機システム。
【請求項１１】
筐体内に圧縮機本体を備えたパッケージ型空気圧縮機を屋外キャビネット内に収容した屋外設置型空気圧縮機システムの施工方法であって、
前記屋外キャビネットには、当該屋外キャビネット内に外気を取り込むためのキャビネット外気取入れ口を備え、さらに夫々が独立した２つの排気経路を備えており、その一方の排気経路には排気手段を備えず他方の排気経路には強制排気手段を備えておき、
前記パッケージ型空気圧縮機は、前記屋外キャビネットの天井面及び各壁面から所定距離隔てて設置し、
前記パッケージ型空気圧縮機内の圧縮機本体を通過する空気の排気路は排気手段を備えていない前記一方の排気経路に接続し、前記パッケージ型空気圧縮機の周囲を流れる空気の排気路は前記強制排気手段を備えた前記他方の排気経路に接続することを特徴としたパッケージ型空気圧縮機を屋外キャビネット内に収容した屋外設置型空気圧縮機システムの屋外設置施工方法。
【発明の詳細な説明】
【技術分野】
【０００１】
本発明は、圧縮機本体を収容するパッケージ型空気圧縮機を屋外に設置するための屋外キャビネット、屋外設置型空気圧縮機システム、及び屋外設置型空気圧縮機システムの屋外設置施工方法に関する。
【背景技術】
【０００２】
一般に「パッケージ型空気圧縮機」は、圧縮空気を生成する圧縮機本体及びこの圧縮機本体を駆動するモータ、電気部品を収納する電気箱等により構成される機械室とこの機械室の換気や圧縮空気及び潤滑油を冷却するための冷却室を備えている。この「パッケージ型空気圧縮機」は、工場建屋等の屋内に設置して圧縮エアーを供給するものであるが、一部屋外に設置して使用可能としたものもある。
【０００３】
本発明において、「パッケージ型空気圧縮機」とは、上述したように、圧縮エアーを供給する機械要素をパッケージ化して構成したものである。また、「屋外キャビネット」とは、その「パッケージ型空気圧縮機」を屋外に設置するための屋外構築物である。そして、「屋外設置型空気圧縮機システム」とは、「屋外キャビネット」内に「パッケージ型空気圧縮機」を設置して、屋外装置から必要箇所に圧縮エアーを供給するシステムである。さらに、「屋外設置の施工方法」とは、「屋外設置型空気圧縮機システム」を構成するために、内部に「パッケージ型空気圧縮機」を設置した「屋外キャビネット」を屋外に施工する方法である。
さらに、本発明において「煙突」との用語の意義は、煙を外に出すための手段としての意味合いに限らず、キャビネットの通風・排気も兼ねた空気・熱の導通手段の意味で用いている。
【０００４】
例えば、特許文献１に示すパッケージ型空気圧縮機は、空気を圧縮する圧縮機本体と、この圧縮機本体を駆動するモータと、電気部品を収納する電気箱と、前記圧縮機本体から吐出された圧縮空気を冷却するエアークーラーと、オイルクーラーなどの構成部品を筐体で覆ってパッケージ化している。
【０００５】
特許文献１に示すパッケージ型空気圧縮機は、屋外の環境下で雨水の機内への侵入を防止し運転することが可能であり、且つコンパクトなパッケージ形圧縮機を提供するものである。そして、上記課題を達成するために、パッケージ型圧縮機において、機械室に設けた吸気口の入口に一定のスペースを設けた吸気ボックスと、斜めに降り込む雨水の機械室への侵入を妨げるルーバーと、スペースの下部にルーバーを乗り越えて侵入した雨水を回収するダクトを備えた吸気ユニットを構成する。そして、圧縮機本体の温度上昇を抑えるために、筐体内に換気用ファンを備えるとともに、筐体の側面に空気取入れ口を形成し、換気用ファンを駆動して空気取入れ口から外気を取り込み、筐体の天井カバーに設けた排気口より空気取入れ口に回り込まないように、上方に放出して筐体内に籠る熱を外部に発散させるように構成している。
【先行技術文献】
【特許文献】
【０００６】
【特許文献１】特開２０１１−２１５２１号公報
【発明の概要】
【発明が解決しようとする課題】
【０００７】
屋外設置を目的としたパッケージ型空気圧縮機は、上記特許文献１に開示されている。特許文献１に示すパッケージ型空気圧縮機は、省スペース化を図るために、筐体内に圧縮機本体や駆動モータなどの構成部品をコンパクトに収納して筐体を小型化しており、このように小型化されたパッケージ型空気圧縮機は、省スペース化において有利な反面、外気温の高い夏場、特に直射日光が当たる場所にパッケージ型空気圧縮機を設置する場合、パッケージ型空気圧縮機の周囲が高温であるため、高温の外気を取り込んでも筐体の内部温度が上昇する傾向があった。特に、小型化されたパッケージ型空気圧縮機は、筐体内の各構成部品が互いに近接して配置されており、空気が通る通路を確保するスペースも余裕がないため、夏場などにおいて筐体内に籠る熱を効率的に発散できにくい面があった。
このため、屋外に設置するパッケージ型空気圧縮機において特に外気温の高い夏場において筐体内に籠る熱を効果的に外部に発散する構造が望まれていた。
【０００８】
そこで、本発明は、上記従来の課題に鑑みてなされたものであって、パッケージ型空気圧縮機を屋外に設置する際、パッケージ筐体内に籠る熱を効果的に発散させて熱による悪影響を防止すると共に、パッケージ型空気圧縮機の周囲を囲む空気層の空気流でパッケージ型空気圧縮機の冷却効果の増大を達成することができるように構成したものである。
つまり、本発明は、パッケージ型空気圧縮機を屋外に設置するための屋外キャビネット、屋外設置型空気圧縮機システム及びこの屋外設置の施工方法を提供することを目的とする。
【課題を解決するための手段】
【０００９】
前記の目的を達成すべく、本発明に係る屋外キャビネットは、筐体内に圧縮機を備えたパッケージ型空気圧縮機を屋外キャビネット内に収容した屋外設置型空気圧縮機システムに用いる屋外キャビネットであって、前記屋外キャビネットは、前記パッケージ型空気圧縮機を収容する空間を備え、当該キャビネット内に外気を取り込むためのキャビネット外気取入れ口を備え、さらに夫々が独立した２つの排気経路を備えており、その一方の排気経路（第１の排気経路）には排気手段を備えず他方の排気経路（第２の排気経路）には強制排気手段を備えていることを特徴とする。
【００１０】
また、本発明の屋外キャビネットは、前記排気手段を備えない一方の排気経路（第１の排気経路）に、補助排気手段を備えたことを特徴とする。
【００１１】
また、本発明の屋外キャビネットは、前記キャビネット外気取入れ口には、外気の流入は許容し雨水の侵入を阻止する雨戸手段を備えたことを特徴とする。
【００１２】
また、本発明の屋外キャビネットは、前記夫々が独立した２つの排気経路は、２本の独立した排気煙突であることを特徴とする。
【００１３】
また、本発明の屋外キャビネットは、前記夫々が独立した２つの排気経路は、内部に隔壁を設けた１本の排気煙突であり、前記隔壁を境にして独立した２つの排気経路が形成されていることを特徴する。
【００１４】
また、本発明の屋外キャビネットは、前記夫々が独立した２つの排気経路には、雨水の侵入を防止するためのカバー部が取り付けられていることを特徴とする。
【００１５】
さらに、本発明の屋外設置型空気圧縮機システムは、筐体内に圧縮機を備えたパッケージ型空気圧縮機を屋外キャビネット内に収容した屋外設置型空気圧縮機システムであって、前記パッケージ型空気圧縮機は、前記屋外キャビネットの天井面及び各壁面から所定距離隔てて設置されており、さらに、当該パッケージ型空気圧縮機内の圧縮機本体によって圧縮する空気及び当該圧縮機の周囲を流れる空気を当該パッケージ型空気圧縮機内に取り込むためのパッケージ空気取入れ口を備えており、前記屋外キャビネットには、当該屋外キャビネット内に外気を取り込むためのキャビネット外気取入れ口を備え、さらに夫々が独立した２つの排気経路を備えており、その一方の排気経路（第１の排気経路）には排気手段を備えず他方の排気経路（第２の排気経路）には強制排気手段を備えておき、前記パッケージ型空気圧縮機内の圧縮機を冷却した排気の排気路は排気手段を備えていない前記一方の排気経路（第１の排気経路）に接続され、前記パッケージ型空気圧縮機の周囲を流れる空気は前記強制排気手段を備えた前記他方の排気経路（第２の排気経路）に接続されたことを特徴する。
【００１６】
また、本発明の屋外設置型空気圧縮機システムは、前記排気手段を備えない一方の排気経路（第１の排気経路）に、補助排気手段を備えたことを特徴する。
【００１７】
また、本発明の屋外設置型空気圧縮機システムは、前記屋外キャビネット内に外気を取り込むためのキャビネット外気取入れ口は複数設けられており、当該屋外キャビネットの複数の壁面に形成されており、パッケージ型空気圧縮機内に空気を取り込むための前記パッケージ空気取入れ口に面した前記キャビネット外気取入れ口の開口面積をａｃｍ２とし、当該パッケージ空気取入れ口に面していない前記キャビネット外気取入れ口の開口面積をｂｃｍ２とすると、ａとｂの関係が、ａ＜ｂの関係となるように前記複数のキャビネット外気取入れ口の開口面積を決めたことを特徴とする。
【００１８】
また、本発明の屋外設置型空気圧縮機システムは、前記ａ及びｂの比が、０．２５≦ａ／ｂ≦０．４であることを特徴する。
【００１９】
さらに、本発明の屋外設置型空気圧縮機システムの屋外設置施工方法は、筐体内に圧縮機本体を備えたパッケージ型空気圧縮機を屋外キャビネット内に収容した屋外設置型空気圧縮機システムの施工方法であって、前記屋外キャビネットには、当該屋外キャビネット内に外気を取り込むためのキャビネット外気取入れ口を備え、さらに夫々が独立した２つの排気経路を備えており、その一方の排気経路（第１の排気経路）には排気手段を備えず他方の排気経路（第２の排気経路）には強制排気手段を備えておき、前記パッケージ型空気圧縮機は、前記屋外キャビネットの天井面及び各壁面から所定距離隔てて設置し、前記パッケージ型空気圧縮機内の圧縮機本体を通過する空気の排気路は排気手段を備えていない前記一方の排気経路（第１の排気経路）に接続し、前記パッケージ型空気圧縮機の周囲を流れる空気の排気路は前記強制排気手段を備えた前記他方の排気経路（第２の排気経路）に接続することを特徴とする。
【発明の効果】
【００２０】
本発明は、屋外キャビネットが、独立した２つの排気経路を備えることにより、屋外キャビネット内に独立した２つの空気冷却系を形成することができる。さらには、屋外キャビネット内にパッケージ型空気圧縮機を設置し、屋外キャビネットには夫々が独立した２つの排気経路を備えることにより、一方の排気経路（第１の排気経路）からは、一旦パッケージ型空気圧縮機の筐体内を通過させた気流を外部に排気するとともに、他方の排気経路（第２の排気経路）からは、パッケージ型空気圧縮機の周囲を流れる気流を排気することにより独立した冷却経路を形成することができる。
【００２１】
さらには、外気温の高い夏場などにおいては、屋外キャビネットによりパッケージ型空気圧縮機の直射日光を遮ることができ、屋外キャビネットに籠る熱を効果的に外部に発散し、屋外キャビネット内の温度上昇を抑えた状態でパッケージ型空気圧縮機内を通過した外気を外部に排気することができる。
【００２２】
また、各外気取入れ口に雨戸手段が、排気経路には雨水の侵入を防止するためのカバー部が設けられているため、外気取入れ口、排気経路からの雨水の侵入を効果的に防止することができる。
【図面の簡単な説明】
【００２３】
【図１】本発明の実施例の屋外設置型空気圧縮機システムの全体構成を示し、同時に空気の流路を表した屋外設置型空気圧縮機システムの正面図である。
【図２】本発明の実施例の屋外設置型空気圧縮機システムにおける空気の流路を表した概略説明図である。
【図３】本発明の実施例の屋外設置型空気圧縮機システムの屋外キャビネットの正面図である。
【図４】本発明の実施例の屋外設置型空気圧縮機システムの屋外キャビネットの右側面図である。
【図５】本発明の実施例の屋外設置型空気圧縮機システムの屋外キャビネットの左側面図である。
【図６】本発明の実施例の屋外設置型空気圧縮機システムの屋外キャビネットの背面図である。
【図７】本発明の実施例の屋外設置型空気圧縮機システムの屋外キャビネットに設けた雨戸手段の断面図である。
【図８】本発明の別実施例の屋外設置型空気圧縮機システムの屋外キャビネットの正面図である。
【発明を実施するための形態】
【００２４】
以下、添付図面を参照して本発明の屋外設置型空気圧縮機システムの実施例１について説明する。なお、本発明の実施例の説明において、上下及び左右方向に関する用語は図１の正面図を基準とした方向を意味するものとして使用する。
【実施例１】
【００２５】
図１を参照してパッケージ型空気圧縮機１０の基本的構成について説明する。図１は、屋外キャビネット１００の開閉扉を取り外した状態が示されている。しかしながら、本発明は、パッケージ型空気圧縮機の構成に特徴があるものではなく、特許文献１（特許第５２６０４２６号公報）に示すパッケージ型空気圧縮機と実質同一の構成であり、他の公知技術のパッケージ型空気圧縮機と実質同一の構成である。本願明細書にでは、パッケージ型空気圧縮機自体の詳細な説明については省略するが、筐体２内に圧縮機本体３及びこの圧縮機本体３を駆動するモータやエアークーラーと、オイルクーラー（いずれも図示しない）などの主要構成部品を収容してパッケージ化している。本発明の実施例としてのパッケージ型空気圧縮機１０は、圧縮機本体３を駆動して、筐体２の側面に形成するパッケージ空気取入れ口６から吸気した空気を圧縮するようになっている。この圧縮空気は、パッケージ型空気圧縮機１０から必要箇所に供給される。また、筐体２内には換気扇７が内蔵されており、この換気扇７によってパッケージ空気取入れ口６（図２）から取り込んだ空気により筐体２の機器を冷却し、その気流を外部に排気している。
【００２６】
符号１００は、パッケージ型空気圧縮機１０を収容して屋外に設置するための屋外キャビネットである。この屋外キャビネット１００については、主に図１、図３〜図５を参照して説明する。なお、図１、図３は共に屋外キャビネット１００の正面図を示しているが、図１は前面パネルの開閉扉１２Ａ〜１２Ｄを取り外した状態を示し、図３は前面パネルの開閉扉１２Ａ〜１２Ｄを取り付けた状態の屋外キャビネット１００を示している。
【００２７】
同図で示すように、屋外キャビネット１００は、ベース１１上にパッケージ型空気圧縮機１０を囲む壁面として前面パネル１２、左右の側面パネル１３、１４、背面パネル１５及び天井パネル１６を箱型に組んで内部にパッケージ型空気圧縮機１０、及び配電盤１７及びドレン処理装置１８などの付帯設備を収容するための空間２０を形成している。本発明は、配電盤１７及びドレン処理装置１８などの付帯設備の詳細に関するものではないので、本願明細書では特に説明しない。本発明の実施例においては、図１、図２に示すように、パッケージ型空気圧縮機１０の周囲に空間２０を形成する。そして、その空間２０内において、パッケージ型空気圧縮機１０を図示の左側に配置し、配電盤１７及びドレン処理装置１８を図示の右側に配置したレイアウトとしている。このように、パッケージ型空気圧縮機１０は屋外キャビネット１００の各パネル１２〜１６から所定距離隔てて設置されている。これにより、屋外キャビネット１００内に配置されたパッケージ型空気圧縮機１０の周囲に空気が流れるスペースを確保されている。
【００２８】
また、図３〜図５に示すように、前面パネル１２は、４枚の開閉扉１２Ａ〜１２Ｄを備えており（図３）、左側面パネル１３は、中央の１枚の開閉扉１３Ａとその両側の配置した２枚の固定パネル１３Ｂを備えており（図５）、右側面パネル１４は、１枚の開閉扉１４Ａと1枚の固定パネル１４Ｂを備えており（図４）、背面パネル１５は、３枚の開閉扉１５Ｂ〜１５Ｄと1枚の固定パネル１５Ａを備えている（図６）。なお、この実施例においては、後述する排気煙突の形状が、排気を屋外キャビネット１００の背面に排出する形態であるために、図示した構成となっているが、これら前面パネル１２、左右の側面パネル１３、１４、背面パネル１５の組み合わせは図３〜図６に示す組み合わせに限らず、例えばスライド扉などの各種の開閉扉と固定パネルなど組み合わせによって構成することも可能である。
【００２９】
本発明の実施例のパッケージ型空気圧縮機１０を配置した屋外キャビネット１００内には２系統の空気流路Ａ（図１及び２の一点鎖線の矢印）及びＢ（図１及び２の細実線の矢印）が形成されている。この空気流路Ａ，Ｂは、それらの排気出口側において夫々が独立した排気径路を備えている。なお、本発明において、夫々が独立した２つの排気径路とは、少なくとも屋外キャビネット１００からの２つの排気経路が繋がっていないことを意味する。
【００３０】
まず、屋外キャビネット１００内に形成される２系統の空気流路Ａ（図１及び２の一点鎖線の矢印）及び空気流路Ｂ（図１及び２の細実線の矢印）について説明する。空気流路Ａは、屋外キャビネット１００外の外気がパッケージ型空気圧縮機１０内に取り込まれ、パッケージ型空気圧縮機１０を構成する各種機器を冷却し、パッケージ型空気圧縮機１０に内蔵されている換気扇７によって外部に排出される空気流である。また、空気流路Ｂは、屋外キャビネット１００外の外気が屋外キャビネット１００内に取り込まれ、パッケージ型空気圧縮機１０の周囲を流れてパッケージ型空気圧縮機１０を冷却し、強制排気手段２７によって外部に排出される空気流である。
【００３１】
なお、図１〜図６に示された実施例においては、屋外キャビネット１００外の外気を取り込むために、前面パネル１２には、左側２枚の開閉扉１２Ａ及び１２Ｂに夫々外気取入れ口２１，２１及び２２，２２が形成され（図３）、左側面パネル１３には、中央の１枚の開閉扉１３Ａに外気取入れ口２３，２３（図５）が形成され、右側面パネル１４には、１枚の開閉扉１４Ａに外気取入れ口３０，３０が形成されている（図４）。本実施例においては、背面パネル１５には、３枚の開閉扉１５Ｂ〜１５Ｄと1枚の固定パネル１５Ａを備えているが外気取入れ口は形成していない（図６）。
【００３２】
さらに、空気流路Ａについて主に図１、図２を参照して説明する。パッケージ型空気圧縮機１０の筐体２には、その右側面にパッケージ空気取入れ口６が形成され、このパッケージ空気取入れ口６と対面する側の右側面パネル１４の開閉扉１４Ａに外気取入れ口３０が形成されている（図２）。そして屋外キャビネット１００の天井パネル１６には排気口３１が形成されている。そして、この空気流路Ａの空気を屋外に排出するために、第１の排気通路（一方の排気径路）を構成され、排気煙突３２が排気口３１を覆うようにして天井パネル１６上に固定されている。この第１の排気通路（一方の排気径路）には強制排気手段が備えていないが、補助排気手段としてパッケージ型空気圧縮機１０に内蔵する換気扇７を利用して、筐体２のパッケージ空気取入れ口６から筐体２内に空気を取り込んで、筐体２内の各機器を冷却し、排気口３１を経て第１の排気通路（一方の排気径路）を構成する排気煙突３２から排出させている。これにより、図１及び図２において、網点矢印Ｄで示すように外気取入れ口２１，２２，２３及び３０から外気が取り込まれ、さらに、その外気がパッケージ空気取入れ口６から取り込まれてパッケージ型空気圧縮機１０内を通過して各機器を冷却し、図１及び図２において一点鎖線の矢印Ａで示すように排気口３１に至る空気流路Ａが形成され、この空気流路Ａを流れる空気が第１の排気通路（一方の排気径路）を構成する排気煙突３２から外部に排気される。パッケージ空気取入れ口６から取り込まれる空気は、近くに存在し対面する右側面パネル１４の外気取入れ口３０から屋外キャビネット１００内に取り込まれた空気が多いとしても、全面パネル１２及び左側面パネル１３の外気取入れ口２１，２２及び２３から屋外キャビネット１００内に取り込まれた空気も含まれる。
【００３３】
次に、空気流路Ｂについて説明する。図１、図２などで示すように、前面パネル１２の左側２枚の開閉扉１２Ａ，１２Ｂと、左側面パネル１３の開閉扉１３Ａにそれぞれ外気取入れ口２１，２２及び２３が形成され、さらに、天井パネル１６に排気口２４が設けられている。そして、第２の排気経路（他方の排気径路）として排気煙突３２が排気口３１を覆うようにして天井パネル１６上に固定されている。排気煙突２５には強制排気手段として排気ファン２７が内蔵されており、この排気ファン２７によって、図２において太実線矢印Ｃで示すように主に外気取入れ口２１，２２及び２３から取り込まれる外気を、パッケージ型空気圧縮機１０の周囲を通過させて排気口２４から排出することによって、図１及び図２において細実線の矢印Ｂで示すように外気取入れ口２１，２２，２３から排気口２４へと至る空気流路Ｂが形成され、この空気流路Ｂを流れる空気が第２の排気径路（他方の排気径路）を構成する排気煙突２５から外部に排気される。
【００３４】
すなわち、空気流路Ａを流れる空気流は、筐体２内の各機器を冷却し、排気口３１を経て第１の排気通路（一方の排気径路）を構成する排気煙突３２から排出させている。そして、空気流路Ｂを流れる空気流は、パッケージ型空気圧縮機１０の周囲を通過させて冷却し、またパッケージ型空気圧縮機１０を外気熱から遮断して、空気を排気口２４から排出する。
【００３５】
このような、パッケージ型空気圧縮機１０を収容して屋外に設置するための屋外キャビネット１００においては、パッケージ型空気圧縮機１０の筐体２に、外気を取り込むための外気取入れ口が複数の箇所に複数個設けられる。本実施例の筐体２においては、パッケージ空気取入れ口６に対面した右側面パネル１４には、キャビネット外気取入れ口３０が形成されており、当該パッケージ空気取入れ口６に対面していない前面パネル１２と左側面パネル１３には、キャビネット外気取入れ口２１，２２及び２３が形成されている。このように、キャビネット外気取入れ口２１，２２，２３及び３０を構成する理由は、パッケージ型空気圧縮機１０の筐体２の周囲に十分な空気流を形成して、外界からの断熱とパッケージ型空気圧縮機１０の冷却効果を増大させるためである。つまり、空気流路Ｂに十分な空気流量を確保するためである。
【００３６】
上記の目的のために、本出願人は本発明のパッケージ型空気圧縮機を屋外に設置するための屋外キャビネット及び屋外設置型空気圧縮機システムにおいて、キャビネット外気取入れ口の配置位置及び配置個数（合計開口面積に換算可能）を実験的に検証した。この実験的実証により、本出願人は、パッケージ空気取入れ口６に対面した側のキャビネット外気取入れ口３０，３０の空気取入れ口の合計開口面積をａｃｍ２とし、パッケージ空気取入れ口６に対面していない側のキャビネット外気取入れ口２１，２１，２２，２２及び２３，２３の合計開口面積をｂｃｍ２とすると、ａ：ｂの開口比率は、ａ：ｂ≒１：３とするのが好ましいことを見出した。また実験的実証により、このａ：ｂの開口比率は、
１／４＜ａ／ｂ＜２／５・・・・・（式１）
となるようにすれば、パッケージ型空気圧縮機１０の筐体２の周囲に十分な空気流を形成することができるものである。
【００３７】
キャビネット外気取入れ口の配置位置と配置個数（合計開口面積に換算可能）において、上記式１を満足するためには、前面パネル１２と左側面パネル１３の他にも背面パネル１５にキャビネット外気取入れ口を形成することも考えられる。あるいは、パッケージ空気取入れ口６に面したキャビネット外気取入れ口３０を右側面パネル１４に２以上のキャビネット外気取入れ口を形成するなどの適宜選定すればよい。要は屋外キャビネット１００内を流れる夫々は独立した２つの空気が流れる空気流路Ａ及びＢが形成され、その内でも空気流路Ｂの空気流が十分に確保できればよい。そのためにも、ａ：ｂの開口比率は、１／４＜ａ／ｂ＜２／５の範囲内、好ましくはａ／ｂ≒１／３となるように各外気取入れ口２１，２２，２３，３０の開口面積を設定すれば、その効果は高い。
【００３８】
このように、パッケージ型空気圧縮機１０の筐体２に形成さえたパッケージ空気取入れ口６に対面した側のキャビネット外気取入れ口３０の合計開口面積ａと、パッケージ空気取入れ口６に対面していない側のキャビネット外気取入れ口２１，２２，２３の合計開口面積ｂとの比率を１／４＜ａ／ｂ＜２／５の範囲内、好ましくはａ／ｂ≒１／３となるようにすることより、パッケージ空気取入れ口６に対面した側のキャビネット外気取入れ口３０からパッケージ型空気圧縮機１０内に取り入れられる外気よりも、パッケージ空気取入れ口６に対面していない側のキャビネット外気取入れ口２１，２２，２３から屋外キャビネット１００内に取り入れられる外気をより多の取り入れることができる。そして、その取り入れた外気が十分な空気量の空気流路Ｂを形成し、パッケージ型空気圧縮機１０の周囲を流れて排気口２４、排気煙突２５から外部に排気される。これにより、例えば、外気温の高い夏場などにおいても、十分な空気量の空気流路Ｂにより屋外キャビネット１００内に籠る熱を効果的に外部に発散することができる。このように、パッケージ型空気圧縮機１０の周囲の温度上昇を抑えながら、筐体２に形成するパッケージ空気取入れ口６に対面した右側面パネル１４の外気取入れ口３０から外気を取り込み、パッケージ型空気圧縮機１０自体に備えた換気扇７を強制排気手段として利用し、この換気扇７によって筐体２のパッケージ空気取入れ口６から一旦筐体２を通過させて圧縮機３の周囲に流れる空気流Ａを排気煙突３２から外部に排気することもができる。これにより、筐体２内に籠る熱を効果的に外部に発散することができる。
【００３９】
従って、パッケージ型空気圧縮機１０を屋外で使用する際、特に、直射日光が当たる環境下で設置する場合、パッケージ型空気圧縮機１０の駆動による排熱に加え、夏場などの外気温の影響によってパッケージ型空気圧縮機１０を収容する屋外キャビネット１００内の温度が上昇するが、十分な空気流路Ｂが形成され、排気煙突２５から外部へと排気され、屋外キャビネット１００内の温度上昇を効果的に抑えることができる。加えて、主に外気取入れ口３０から取り入れた外気を一旦パッケージ型空気圧縮機１０を通過させる空気流路Ａが排気煙突３２から外部へと排気することによってパッケージ型空気圧縮機１０の各機器から発散する熱を効率的に外部に排出することができる。
【００４０】
また、屋外の環境下で使用するパッケージ型空気圧縮機１０は、屋外キャビネット１００内への雨水の浸入を防止する対策も必要となるため、屋外キャビネット１００内に外気を取り込むための外気取入れ口２１，２２，２３，３０にそれぞれ雨戸手段を備えている。この雨戸手段について図７を参照して説明する。
【００４１】
雨戸手段は、各外気取入れ口２１，２２，２３，３０を覆う傾斜した複数のルーバー３５と、そのルーバー３５の外側に覆うカバー３６とで構成されている。カバー３６は、平板部３７の左右両端及び上縁から側板３８と天板３９を折曲して平断面コ字状に形成され、外気取入れ口２１，２２，２３，３０の周囲にはカバー３６を着脱自在に装着する取付枠４０が取り付けられている。この取付枠４０にカバー３６を装着することによって、外気取入れ口２１，２２，２３，３０とカバー３６との間に一定の間隔が保持され、カバー３６の下部に開口部３６ａが形成される。この開口部３６ａから各ルーバー３５間を通って外気取入れ口２１，２２，２３，３０から外気が取り込まれる。また、ルーバー３５の前面側はカバー３６で覆われ、外気取入れ口２１，２２，２３，３０から直接的に浸入する雨水を遮ることができ、仮に風雨の影響などによってカバー３６と屋外キャビネット１００との隙間から雨水が浸入したとしても傾斜したルーバー状のルーバー３５によって外気取入れ口２１，２２，２３，３０からの雨水の侵入を効果的に防止することができる。
【００４２】
また、天井パネル１６に設置する排気煙突２５，３２には排気口２４，３１の頂部を覆うカバー部２５ａ，３２ａが形成され、このカバー部２５ａ，３２ａによって排気口２４，３１からの雨水の侵入を効果的に防止することができる。この実施例においては、カバー部２５ａ，３２ａが、排気を背面パネル１５側に排気するように構成されているために、背面パネル１５側にはキャビネット外気取入れ口が形成されていない。
【００４３】
以上のように本実施例では、外気温の影響によって上昇する屋外キャビネット１００内に籠る熱を効率的に外部に発散することができ、さらに、屋外キャビネット１００内に収納するパッケージ型空気圧縮機１０に籠る熱を効率的に外部に発散することができ、その相乗的効果によって、パッケージ型空気圧縮機１０の熱による悪影響を抑制することができる。また、パッケージ型空気圧縮機１０に内蔵する換気扇７を強制排気手段として利用するため、組み付け部品点数を抑えてコストの低減にも寄与できる。
【００４４】
また、外気取入れ口２１，２２，２３，３０は、傾斜した複数のルーバー３５とこのルーバー３５を覆うカバー３６で覆われるとともに、天井パネル１６に形成する各排気口２４，３１が排気煙突２５，３２に形成するカバー部２５ａ，３２ａで覆われているため、雨水の浸入を効果的に防止し、パッケージ型空気圧縮機１０を安全に運転することができる。
【実施例２】
【００４５】
図８は、本発明の実施例２を示しており、前記第１実施例と同一機能を有する部分には同一符号を付し、重複する部分の説明を省略し、異なる部分についてのみ説明する。
【００４６】
前記実施例においては、夫々が独立した２つの排気煙突２５，３２を用いた例を示したが、本実施例においては、天井パネル１６に共通の排気煙突５０を設置し、この排気煙突５０の内部に隔壁５１を形成することによって、隔壁５１を境にして独立した２つの排気経路Ａ１，Ｂ１を区画形成し、この排気経路Ａ１，Ｂ１をそれぞれ実施例１における空気流路Ａ，Ｂと連通するようにしている。
【００４７】
以上のように構成される本実施例では、実施例１と同様、外気温の影響によって上昇する屋外キャビネット１００内に籠る熱を効率的に外部に発散することができる一方、屋外キャビネット１００内に収納するパッケージ型空気圧縮機１０に籠る熱を効率的に外部に発散することができる。さらに、本実施例では排気煙突５０を共通化し、内部を隔壁５１で仕切って独立した排気経路Ａ１，Ｂ１を形成することによって、組み付け部品点数を抑えることできる。また、天井パネル１６に形成する各排気口２４，３１が実施例１と同様、排気煙突５０に形成するカバー部５０ａで覆うことによって、雨水の浸入を効果的に防止している。
【００４８】
以上、本発明の実施例を詳述したが、本発明は、前記各実施例に限定されるものではなく、本発明の要旨の範囲内で種々の変形実施が可能である。例えば、パッケージ型空気圧縮機１０や屋外キャビネット１００の具体的構成、例えば排気煙突の構成は前記実施例１、２に限定されるものではなく、適宜選定すればよい。また、雨戸手段としてのカバー３６は、外気取入れ口２１，２２，２３，３０を覆って雨水が直接的に浸入しない構造であればよく、カバー３６の形状や取り付け構造などは図７に示す構造に限らず、適宜選定すればよいものである。
【符号の説明】
【００４９】
１０  パッケージ型空気圧縮機
２  筐体
３  圧縮機本体
６  パッケージ空気取入れ口
７  換気扇（補助排気手段）
１００  屋外キャビネット
１２  前面パネル（壁面）
１３，１４  側面パネル（壁面）
１５  背面パネル（壁面）
１６  天井パネル（天井面）
２１，２２，２３，３０  外気取入れ口
２４，３１  排気口
２５，３２，５０  排気煙突（排気径路）
２７  排気ファン（強制排気手段）
２５ａ，３２ａ，５０ａ  カバー部
３６  カバー（雨戸手段）
Ａ，Ｂ，Ａ１，Ｂ１  空気流路
【図１】
2015121137.tif 000003
【図２】
2015121137.tif 000004
【図３】
2015121137.tif 000005
【図４】
2015121137.tif 000006
【図５】
2015121137.tif 000007
【図６】
2015121137.tif 000008
【図７】
2015121137.tif 000009
【図８】
2015121137.tif 000010